(57)【要約】      （修正有）【課題】圧縮機上部積載型冷蔵庫における放熱用スペーサによる振動を防止して、信頼性および省エネ性を向上させる。【解決手段】圧縮機上部積載型の冷蔵庫本体と、この冷蔵庫本体の下部に設けたキャスター１１と、キャスター１１を覆うカバー１３とを備え、前記キャスターカバー１３に冷蔵庫本体と家屋壁面との間のスペースを確保するスペーサ部１４を設けるとともに、当該スペーサ部１４に補助スペーサ１７を取り付けるスペーサ着脱部１５を設けた構成としてある。これにより、スペーサは圧縮機から遠く離れ、かつ冷蔵庫本体の全荷重を受けて耐震性が高くなっている本体下部に位置することになるから、振動が抑制され信頼性が向上するとともに、補助スペーサの着脱で放熱スペースを最適な寸法とでき省エネ性も良好なものとなる。【選択図】図４
2013083411.tif 000002
【特許請求の範囲】
【請求項１】
上後部に圧縮機を積載した冷蔵庫本体と、この冷蔵庫本体の下部に設けたキャスターと、このキャスターを覆うカバーとを備え、前記キャスターのカバーに冷蔵庫本体と家屋壁面との間のスペースを確保するスペーサ部を設けるとともに、当該スペーサ部に補助スペーサを着脱自在に取り付け可能とするスペーサ着脱部を設けたことを特徴とする冷蔵庫。
【請求項２】
キャスターは冷蔵庫本体背面下部の両側部分にそれぞれ設けた請求項１記載の冷蔵庫。
【請求項３】
冷蔵庫本体はその両側部分に上下に亘って斜めカット部を形成するとともに、この斜めカット部の下部にキャスターを設けた請求項１または２記載の冷蔵庫。
【請求項４】
冷蔵庫本体の下部に蒸発皿とファンを設け、前記蒸発皿とファンを機械室カバーで覆い、この機械室カバーに冷蔵庫本体の斜めカット部に連なる空気吐出グリルを設けるとともに、斜めカット部の上部は冷蔵庫本体上部の圧縮機を積載した部分に連なる構成とした請求項３記載の冷蔵庫
【請求項５】
キャスターのカバーに機械室カバーの空気吸引グリルに連なる孔を設け、この孔から吸引した空気を、機械室カバー、空気吐出グリル、斜めカット部を介して冷蔵庫本体上部の圧縮機積載部分に供給する構成とした請求項４記載の冷蔵庫。
【請求項６】
スペーサ部を筒状に形成するとともに、その家屋壁面側となる端部には放射状リブを介してボスを形成することによりスペーサ着脱部を構成し、このスペーサ着脱部のボスに補助スペーサをねじ止めする構成とした請求項１〜５のいずれか１項記載の冷蔵庫。
【請求項７】
補助スペーサはスペーサ部を覆う略箱筒状に形成し、当該略箱筒状の家屋壁面側となる端部の下部角部を円弧状とした請求項１〜６のいずれか１項記載の冷蔵庫。
【発明の詳細な説明】
【技術分野】
【０００１】
本発明は冷蔵庫本体の上後部に圧縮機を積載した冷蔵庫に関するもので、特にこの種圧縮機上部積載タイプの冷蔵庫背面と家屋壁面との間に放熱用スペースを確保する構成に関するものである。
【背景技術】
【０００２】
最近、冷蔵庫はその最下部に配設された貯蔵室の収納容積をアップさせるため、当該貯蔵室後部に設けられていた圧縮機を最上部の貯蔵室後部、すなわち、冷蔵庫本体の上後部に圧縮機を積載した冷蔵庫が見られるようになって来た。この圧縮機上部積載タイプの冷蔵庫は、上部貯蔵室の手の届きにくい後部空間部分に圧縮機を移したことから下部貯蔵室の後方収納空間を拡大できて、使い勝手がよく、市場が拡大しつつある（例えば、特許文献１参照）。
【０００３】
一方、この種の冷蔵庫を含め最近の冷蔵庫は、外観の向上を図るためその背面は本体外郭を構成する金属板等によってスッキリした形としてあるが、その金属板等によって覆われた内部には冷蔵庫本体内の貯蔵室を冷却するための冷媒が通る冷媒配管等が設けてある。そして、このような冷蔵庫にあっては、省エネ性を向上させるためにこの冷媒配管等から発生する熱を放散させる必要があり、この熱放散が不十分であれば省エネ性の低下を招来する。そのため、従来はスッキリとした冷蔵庫本体の背面を家屋の壁面等に密接させられないようにスペーサが設けてあり、冷蔵庫本体の背面と家屋壁面との間に放熱用のスペースを確保するようになっている。
【０００４】
図８は圧縮機上部積載型冷蔵庫にスペーサを設けたものの従来例を示す。図８に示す冷蔵庫は、冷蔵庫本体１０１の上後部に形成した凹部１０２に圧縮機（図示せず）を設け、その圧縮機の背面と上面を断面略Ｌ字状のカバー１０３で覆うとともに、冷蔵庫本体１０１の背面は金属薄板１０４で覆ってスッキリとさせてある。そして、圧縮機積載部下方に位置する制御ブロック部１０５の一部にオーバーラップする如くスペーサ１０６を設け、冷蔵庫本体１０１の背面と家屋壁面との間に放熱用スペースを確保するようになっていた。
【先行技術文献】
【特許文献】
【０００５】
【特許文献１】特開２００１−９９５５２号公報
【発明の概要】
【発明が解決しようとする課題】
【０００６】
しかしながら、前記従来の構成では、冷蔵庫本体１０１の振動およびこの振動による音発生が問題となっていた。すなわち、冷蔵庫本体１の上後部に設けた圧縮機は振動しやすく振動源となるものであるが、この振動源となる圧縮機の近傍にスペーサ１０６を設けているため、このスペーサ１０６もその影響を受けて微振動し、スペーサ１０６が家屋壁面と微接触を繰り返して音を発生するという問題が生じていたのである。
【０００７】
また、上記冷蔵庫本体１０１の背面と家屋壁面との間に確保するスペースはできるだけ小さくして冷蔵庫前面の家屋壁面からの突出寸法を抑えたいものであるが、冷蔵庫の能力によってその放熱量、すなわち放熱用のスペースは若干異なり、これを無視すると放熱による冷却効果が減少して省エネ性が低下するなどの問題が生じる。したがって、冷蔵庫本体を共用して能力の異なる数種類のものに適用した場合には、スペーサ１０６の寸法が一
定のため冷蔵庫本体前面の突出寸法が大きくなるか、あるいは、省エネ性が低下するかのいずれか一方を引き起こすことになる、という課題もあった。
【０００８】
本発明はこのような従来の課題に鑑みてなしたもので、スペーサによる振動を防止するとともに最適なスペース確保を可能として、信頼性および省エネ性を向上させることを目的としたものである。
【課題を解決するための手段】
【０００９】
従来の課題を解決するために本発明は、上後部に圧縮機を積載した冷蔵庫本体と、この冷蔵庫本体の下部に設けたキャスターと、このキャスターを覆うカバーとを備え、前記キャスターのカバーに冷蔵庫本体と家屋壁面との間のスペースを確保するスペーサ部を設けるとともに、当該スペーサ部に補助スペーサを着脱自在に取り付け可能とするスペーサ着脱部を設けた構成としてある。
【００１０】
これによって、スペーサは振動源となる圧縮機から遠く離れたところに位置し、かつ、冷蔵庫本体の全荷重を受けて耐震性が高くなっている冷蔵庫本体下部に位置することになるから、冷蔵庫本体の上部に積載した圧縮機が振動していても、その振動は冷蔵庫本体下部に至る過程で吸収減衰される。よって、スペーサはほとんど振動することがなくなるとともに、振動によって振動音を発生することも防止できる。加えて、スペーサ部に補助スペーサを着脱することによって能力の異なる数種の冷蔵庫の放熱スペースを、最適な寸法にすることができ、冷蔵庫背面からの放熱による冷却効果を維持して省エネ性の高いものとすることができる。
【発明の効果】
【００１１】
本発明は圧縮機を冷蔵庫本体上部に設けたことによるメリットを享受しつつスペーサの振動とこの振動による振動音を防止でき、ユーザに不信感を与えない信頼性の高い冷蔵庫とすることができるとともに、冷蔵庫本体を共用した冷蔵庫であってもその能力に応じてもっとも高い省エネ性を発揮させることができる。
【図面の簡単な説明】
【００１２】
【図１】本発明の実施の形態１における冷蔵庫の背面斜視図
【図２】同冷蔵庫の圧縮機積載部分を示す斜視図
【図３】同冷蔵庫の下部に設けた機械室の内部を示す正面図
【図４】同冷蔵庫の要部拡大斜視図
【図５】（ａ）同冷蔵庫のスペーサ部の側面図、（ｂ）同冷蔵庫の補助スペーサ装着時の側面図、（ｃ）同冷蔵庫の補助スペーサ装着時の正面図
【図６】（ａ）同冷蔵庫の補助スペーサの斜視図、（ｂ）同補助スペーサの断面図
【図７】本発明の実施の形態２における冷蔵庫の要部拡大斜視図
【図８】従来の冷蔵庫の背面斜視図
【発明を実施するための形態】
【００１３】
第１の発明は、上後部に圧縮機を積載した冷蔵庫本体と、この冷蔵庫本体の下部に設けたキャスターと、このキャスターを覆うカバーとを備え、前記キャスターのカバーに冷蔵庫本体と家屋壁面との間のスペースを確保するスペーサ部を設けるとともに、当該スペーサ部に補助スペーサを着脱自在に取り付け可能とするスペーサ着脱部を設けた構成としてある。
【００１４】
これによって、スペーサは振動源となる圧縮機から遠く離れた位置にあって、冷蔵庫本体の全荷重を受けて耐震性が高くなっている本体下部に位置することになるから、冷蔵庫本体の上部に積載した圧縮機が振動していてもその振動は冷蔵庫本体下部に至る過程で吸
収減衰される。よって、スペーサはほとんど振動することがなくなるとともに振動によって振動音を発生することも防止することができる。加えて、スペーサ部に補助スペーサを着脱することによって能力の異なる数種の冷蔵庫の放熱スペースを、最適な寸法にすることができ、冷蔵庫背面からの放熱による冷却効果を維持して省エネ性の高いものとすることができる。
【００１５】
第２の発明は、キャスターを冷蔵庫本体背面下部の両側部分にそれぞれ設けた構成としてあり、冷蔵庫本体の両側部でスペーサが家屋壁面に接してスペースを確保することになり、家屋壁面に対して冷蔵庫本体が斜めになった状態で設置されることを防止することができる。
【００１６】
第３の発明は、冷蔵庫本体の両側部分に上下に亘って斜めカット部を形成するとともに、この斜めカット部の下部にキャスターを設けた構成としてあり、これによってキャスターに設けたスペーサ部は冷蔵庫本体の最背面より斜めカット部分だけ後退することになって、冷蔵庫本体の最背面より家屋壁面側への突出寸法を小さなものとすることができ、必要以上の放熱用スペースを形成するようになって冷蔵庫本体前面の突出寸法が大きくなるのを防止することができる。
【００１７】
第４の発明は、冷蔵庫本体の下部に蒸発皿とファンを設け、前記蒸発皿とファンを機械室カバーで覆い、この機械室カバーに冷蔵庫本体の斜めカット部に連なる空気吐出グリルを設けるとともに、斜めカット部の上部は冷蔵庫本体上部の圧縮機積載部分に連なる構成としてある。これにより、冷蔵庫本体の底面と家屋床面との間の冷たい空気をファンの回転によって機械室カバー内に吸引して、斜めカット部を介し冷蔵庫本体上部の圧縮機積載部分に流すことができ、高温になりがちな圧縮機を、スペーサ確保構成を利用して効果的に冷却することができる。
【００１８】
第５の発明は、キャスターカバーに機械室カバーの空気吸引グリルに連なる孔を設け、この孔から吸引した空気を、機械室カバー、空気吐出グリル、斜めカット部を介して冷蔵庫本体上部の圧縮機積載部分に供給する構成としてある。これにより、冷蔵庫の側面を家屋壁面に近接して設置した場合にも斜めカット部より空気を供給し圧縮機を冷却することができるようになる。
【００１９】
第６の発明は、スペーサ部を筒状に形成するとともに、その家屋壁面側となる端部には放射状リブを介してボスを形成することによりスペーサ着脱部を構成し、このスペーサ着脱部のボスに補助スペーサをねじ止めする構成としてあり、スペーサ部の強度向上と補助スペーサをねじ１本で容易に取付けることができるようになる。
【００２０】
第７の発明は、補助スペーサはスペーサ部を覆う略箱筒状に形成し、当該略箱筒状の家屋壁面側となる端部の下部角部を円弧状としてあり、キャスターを支点に冷蔵庫本体を傾斜させて移動させる際に当該補助スペーサの下部角部が床面に接しても床面を傷つける恐れが少なくなり、キャスターカバーを利用してスペーサ部を設けたことによる障害も抑制することができる。
【００２１】
以下、本発明の実施の形態について、図面を参照しながら説明する。なお、この実施の形態によって本発明が限定されるものではない。
【００２２】
（実施の形態１）
図１〜図４は実施の形態１の冷蔵庫を示す。図中１は冷蔵庫本体で、本体外装を構成する筐１ａと内装ケース（図示せず）の間にウレタン樹脂等を発砲させて構成してあり、内部には上下方向に複数の貯蔵室（図示せず）が設けてある。この冷蔵庫本体１の上後部に
は図２に示すように凹部２を形成し、当該凹部２に貯蔵室冷却のための冷凍システムの主体をなす圧縮機２ａ、空冷凝縮器２ｂ、ファン２ｃ等が積載してあり、断面略Ｌ字状のカバー３で覆ってある。なお、カバー３に設けてある図中右側のグリル４ａ、４ｂは空気吸い込み用、左側のグリル５ａ、５ｂは吐出用のものである。
【００２３】
６は前記冷蔵庫本体１の背面を覆う金属薄板製の背面板で、冷蔵庫本体１の背面をスッキリとしたものとしている。なお、この背面板６の内側には周知の如く冷凍システムを構成する蒸発器（図示せず）や、これと前記圧縮機２ａ、空冷凝縮器２ｂとをつなぐ配管が設けてあって、熱を放散するようになっている。７は上記圧縮機近傍の背面板６上部に取り付けた制御カバーで、その内側には冷凍システムを制御する制御器（図示せず）が組み込んである。
【００２４】
８は前記冷蔵庫本体１の背面両側部に設けた斜めカット部で、冷蔵庫本体１の上下方向に設けてあり、上部は前記圧縮機積載部分のカバーグリル４ａにつながっている。また、斜めカット部８の下部は冷蔵庫本体１の下部に設けた機械室９内につながっている。この機械室９は機械室カバー１０で覆ってあり、内部には図３に示すように蒸発皿９ａやファン９ｂ等が設けてある。なお、機械室カバー１０に設けてある図中右側のグリル１０ａは前記斜めカット部８への空気吐出用、左側のグリル１０ｂは空気吸い込み用のものである。
【００２５】
１１は前記冷蔵庫本体１の両側下部に設けたキャスターで、冷蔵庫本体１を移動させるためのものである。このキャスターは図１からも明らかなように冷蔵庫本体１両側の斜めカット部８の下端部に設けてある。
【００２６】
図４、図５はこのキャスター部分を示し、キャスター１１は冷蔵庫本体１に設けたキャスター支持具１２に回転自在に支持してあり、その上方はキャスターカバー１３で覆っている。このキャスターカバー１３も冷蔵庫本体１に取り付けてあり、その上面部には後方に向かって突出するように略円筒状のスペーサ部１４が一体形成してある。このスペーサ部１４はその後方端が開口していて、その中央部分には後述する補助スペーサを着脱自在に取り付けるためのスペーサ着脱部となるボス１５が放射状リブ１６によって一体形成してある。
【００２７】
１７は上記スペーサ部１４に取り付ける補助スペーサで、図６に示すようにスペーサ部１４を覆う略箱筒状に形成してあり、当該略箱筒状の家屋壁面側となる端部の下部角部１７ａを円弧状としてある。そして略箱筒状部の後正面壁に孔部１７ｂを形成し、この孔部１７ｂから前記スペーサ部１４のボス１５にビス１８を締め付けて取り付け固定してある。
【００２８】
上記構成において、この冷蔵庫は上後部に積載されている圧縮機２ａが振動しても、スペーサ部１４あるいはこれに取り付けた補助スペーサ１７が存在する冷蔵庫本体１下部は、振動源となる圧縮機２ａから遠く離れていて、その振動は冷蔵庫本体１下部に至る過程で吸収減衰される。また、上記冷蔵庫本体１の下部は冷蔵庫の全荷重を受けて剛性が高く振動にくい状態となっている。したがって、冷蔵庫本体１の下部に設けたスペーサ部１４もしくは補助スペーサ１７はほとんど振動することがなくなるとともに、振動によって家屋壁面に接して生じる振動音もなくすることができる。
【００２９】
また、この冷蔵庫は、スペーサ部１４に補助スペーサ１７を着脱することによって、冷蔵庫本体１の背面と家屋壁面との間のスペース寸法を変えることができる。したがってスペース寸法が小さくてもよいタイプの冷蔵庫では補助スペーサ１７をはずしてスペーサ部１４のみとすればよい。この場合、冷蔵庫本体背面のスペース寸法が小さくなる分、家屋
壁面から冷蔵庫本体前面までの寸法、すなわち、冷蔵庫本体前面の家屋壁面からの突出寸法を抑えることができる。
【００３０】
一方、スペーサ部１４によって形成されるスペース寸法では放熱効率が低下して省エネ性が低下するタイプの場合は、補助スペーサ１７を取り付けて省エネ性を確保することができる。すなわち、冷蔵庫本体背面と家屋壁面との間のスペース寸法を広いものとして放熱を良好なものとして冷却効果を維持し、省エネ性を確保できる。
【００３１】
このようにこの冷蔵庫では、タイプの異なる冷蔵庫であっても、ひとつの冷蔵庫本体を共用して最適な放熱スペース寸法を確保し、冷蔵庫本体１前面の家屋壁面からの突出寸法を抑えたり、省エネ性を確保したりすることが可能となる。
【００３２】
また、上記スペーサ部１４を設けたキャスター１１は冷蔵庫本体背面下部の両側部分にそれぞれ設けてあるから、冷蔵庫本体１の両側部でスペーサ部１４もしくは補助スペーサ１７が家屋壁面に接してスペースを確保することになり、家屋壁面に対して冷蔵庫本体１が斜めに設置されるようなことを未然に防止することができる。
【００３３】
さらに上記キャスター１１を設けた冷蔵庫本体１の両側部分は上下に亘って斜めカット部８が形成してあるから、キャスター１１は冷蔵庫本体１の最背面より斜めカット８部分だけ後退することになる。したがって、キャスターカバー１３に設けたスペーサ部１４の端部は冷蔵庫本体１の最背面１ａより家屋壁面側への突出寸法を小さなものとすることができる。図５の（ａ）で示す一例では冷蔵庫本体１の最背面１ａからの突出寸法Ａは４．５ｍｍと小さなものに抑えることができた。すなわち、仮にスペーサ部１４を冷蔵庫本体１の最背面１ａに取り付けた場合に比べると十分小さな突出寸法とすることができ、放熱用スペースが必要以上に大きなものとなって、冷蔵庫本体前面の突出寸法が大きくなるのを防止することができる。また、補助カバー１７を取り付ければ同図（ｂ）で示す冷蔵庫本体１の最背面１ａからの突出寸法Ａは１３．５ｍｍと十分大きくすることができ、大放熱を必要とするタイプのものにあっては十分な放熱スペースを確保することができる。
【００３４】
また、この実施の形態では冷蔵庫本体の下部に蒸発皿９ａやファン９ｂを有する機械室９を設け、その機械室カバー１０に冷蔵庫本体１両側の斜めカット部８に向けて開口するグリル１０ａが設けてあるから、従来の冷蔵庫と同様ファン９ｂの回転により機械室カバー１０の左側グリル１０ｂから床面近くの冷たい空気を吸い込んで蒸発皿９ａ内の結露水を気化させた後右側のグリル１０ａから前記斜めカット部８へと吐出させるようになる。そして、この空気は斜めカット部８に案内されて上昇し、冷蔵庫本体１の上後部に設けた圧縮機積載部分のファン２ｃの回転によって圧縮機積載部分を覆うカバー３の右側グリル４ａからカバー３内の圧縮機積載部分へと吸引され、空冷凝縮器２ｂと熱交換した後、高温になりがちな圧縮機２ａを冷却して、左側のグリル５ｂから放出される。すなわち、スペーサ部１４を退避させる斜めカット部８を利用して圧縮機２ａ等の冷却も効率的に行うことができる。
【００３５】
さらに前記スペーサ部１４は筒状に形成するとともに、その家屋壁面側となる端部には放射状リブを介してボス１５を形成し、このボス１５に補助スペーサ１７をねじ止めする構成としてあるから、スペーサ部の強度向上と補助スペーサをねじ１本で容易に取付けることができるという効果がある。
【００３６】
さらに、上記補助スペーサ１７はスペーサ部１４を覆う略箱筒状に形成し、当該略箱筒状の家屋壁面側となる端部の下部角部１７ａを円弧状としてあるから、キャスター１１を支点に冷蔵庫本体１を傾斜させて移動させる際、当該補助スペーサ１７の下部角部１７ａが床面に接しても床面を傷つける恐れが少なく、キャスターカバー１３を利用してスペー
サ部１４を設けたことによる障害も抑制することができる。
【００３７】
（実施の形態２）
図７に実施の形態２を示す。この実施の形態ではキャスター１１のキャスターカバー１３に冷蔵庫本体１の下部機械室カバー１０の左側グリル１０ｂに通じる孔１３ａを設けた構成としてある。
【００３８】
この構成によれば、機械室カバー１０内のファン回転によって冷蔵庫本体１底部と床面との間の冷たい空気はキャスターカバー１３の内部、そのキャスターカバー１３に設けた孔１３ａを介して下部機械室カバー１０の左側グリル１０ｂから機械室カバー１０内に入り、機械室カバー１０の右側グリル１０ａを介し斜めカット部８へと流れ、この斜めカット部８につながる冷蔵庫本体上部の圧縮機積載部分に流れて圧縮機２ａを冷却するようになる。これにより、冷蔵庫の側面を家屋壁面に近接して設置した場合にも斜めカット部より空気を供給し圧縮機を冷却することができるようになる。
【産業上の利用可能性】
【００３９】
以上のように本発明の冷蔵庫は、圧縮機を冷蔵庫本体上部に設けたことによるメリットを享受しつつスペーサの振動とこの振動による振動音も防止でき、ユーザに不信感を与えない信頼性の高いものとすることができる。
【符号の説明】
【００４０】
１  冷蔵庫本体
２ａ  圧縮機
２ｃ  ファン
３  圧縮機積載部のカバー
４ａ  空気吸い込み用グリル
６  背面板
８  斜めカット部
９  機械室
９ａ  蒸発皿
９ｂ  機械室のファン
１０  機械室カバー
１０ａ  空気吐出用のグリル
１０ｂ  空気吸い込み用のグリル
１１  キャスター
１３  キャスターカバー
１４  スペーサ部
１５  ボス（補助スペーサ着脱部）
１７  補助スペーサ
１７ａ  下部角部
【図１】
2013083411.tif 000003
【図２】
2013083411.tif 000004
【図３】
2013083411.tif 000005
【図４】
2013083411.tif 000006
【図５】
2013083411.tif 000007
【図６】
2013083411.tif 000008
【図７】
2013083411.tif 000009
【図８】
2013083411.tif 000010